(57)【要約】  アクセスサービスネットワーク内に存在する複数のモバイルＩＰ通信装置（アクセスサービスネットワークゲートウェイ）において、ＤＨＣＰプロキシ機能部のＩＰアドレスを共通にし、全てのＤＨＣＰプロキシ機能部が全てのモバイルステーションのアドレス更新メッセージを受信することができるようにする。モバイルステーションのハンドオーバによってフォーリンエージェント／アンカーデータパス機能部のリロケーションが起こる際に、リロケーション前のモバイルＩＰ通信装置からリロケーション先のモバイルＩＰ通信装置のＤＨＣＰプロキシ機能部にＩＰアドレスのリリース時間等のＤＨＣＰプロキシ情報を通知し、リロケーション先のＤＨＣＰプロキシ機能部がモバイルステーションのＩＰアドレスの更新を継続して行うことができるようにする。
2008114384.tif 000002
【特許請求の範囲】
【請求項１】
アクセスサービスネットワーク内に、プロキシモバイルＩＰクライアント機能部、フォーリンエージェント機能部およびＤＨＣＰプロキシ機能部を備えた複数のモバイルＩＰ通信装置が存在し、各モバイルＩＰ通信装置のＤＨＣＰプロキシ機能部が共通のＩＰアドレスを有するモバイルＩＰ通信システムであって、
モバイルステーションの移動前の接続先である第１のモバイルＩＰ通信装置のＤＨＣＰプロキシ機能部は、モバイルステーションの移動後の接続先である第２のモバイルＩＰ通信装置へ該モバイルステーションに関する情報を通知する手段を備え、
前記第２のモバイルＩＰ通信装置のＤＨＣＰプロキシ機能部は、前記第１のモバイルＩＰ通信装置から送られてくる前記モバイルステーションに関する情報を取得する手段と、モバイルステーションから送られてくる前記共通のＩＰアドレス宛の更新メッセージを受信し、前記モバイルステーションに関する情報に基づいてＩＰアドレスの更新処理を行い、その更新結果を自装置のプロキシモバイルＩＰクライアント機能部およびフォーリンエージェント機能部に通知する手段を備えることを特徴とするモバイルＩＰ通信システム。
【請求項２】
前記第２のモバイルＩＰ通信装置のＤＨＣＰプロキシ機能部は、情報通知のないモバイルステーションから送られてくる前記共通のＩＰアドレス宛の更新メッセージを受信し、該更新メッセージを前記第１のモバイルＩＰ通信装置へ転送する手段を備え、
前記第１のモバイルＩＰ通信装置のＤＨＣＰプロキシ機能部は、前記第２のモバイルＩＰ通信装置から送られてくる前記更新メッセージを受信し、ＩＰアドレスの更新処理を行い、その更新結果を自装置のプロキシモバイルＩＰクライアント機能部およびフォーリンエージェント機能部に通知する手段を備えることを特徴とする請求項１に記載のモバイルＩＰ通信システム。
【請求項３】
アクセスサービスネットワーク内に、プロキシモバイルＩＰクライアント機能部、フォーリンエージェント機能部およびＤＨＣＰプロキシ機能部を備えた複数のモバイルＩＰ通信装置が存在するモバイルＩＰ通信システムであって、
モバイルステーションの移動前の接続先である第１のモバイルＩＰ通信装置は、モバイルステーションの移動後の接続先である第２のモバイルＩＰ通信装置へ当該モバイルステーションに関する情報を通知する手段と、前記第２のモバイルＩＰ通信装置のＩＰアドレスを取得する手段と、前記第２のモバイルＩＰ通信装置から更新メッセージを受け取ってＩＰアドレスの更新処理を行い、その更新結果を前記第２のモバイルＩＰ通信装置へ転送する手段を備え、
前記第２のモバイルＩＰ通信装置は、自装置のＩＰアドレスを前記第１のモバイルＩＰ通信装置へ通知する手段を備え、
前記第２のモバイルＩＰ通信装置のＤＨＣＰプロキシ機能部は、前記第１のモバイルＩＰ通信装置から送られてくる前記モバイルステーションに関する情報を取得する手段と、モバイルステーションから送られてくる前記第１のモバイルＩＰ通信装置のＩＰアドレス宛の更新メッセージを受信し、該更新メッセージを前記第１のモバイルＩＰ通信装置へ転送する手段と、前記更新メッセージの転送に応答して前記第１のモバイルＩＰ通信装置から送られてくる更新内容を取得し、該更新内容を自装置のプロキシモバイルＩＰクライアント機能部およびフォーリンエージェント機能部に通知する手段を備えることを特徴とするモバイルＩＰ通信システム。
【請求項４】
前記第２のモバイルＩＰ通信装置のＤＨＣＰプロキシ機能部は、情報通知のないモバイルステーションから送られてくる前記第１のモバイルＩＰ通信装置のＩＰアドレス宛の更新メッセージを受信し、該更新メッセージを前記第１のモバイルＩＰ通信装置へ転送する手段を備え、
前記第１のモバイルＩＰ通信装置のＤＨＣＰプロキシ機能部は、前記第２のモバイルＩＰ通信装置から送られてくる前記更新メッセージを受信し、ＩＰアドレスの更新処理を行い、その更新結果を自装置のプロキシモバイルＩＰクライアント機能部およびフォーリンエージェント機能部に通知する手段を備えることを特徴とする請求項３に記載のモバイルＩＰ通信システム。
【請求項５】
前記モバイルＩＰ通信装置は、アクセスサービスネットワークゲートウェイであることを特徴とする請求項１〜４のいずれか一つに記載のモバイルＩＰ通信システム。
【請求項６】
プロキシモバイルＩＰクライアント機能部、フォーリンエージェント機能部およびＤＨＣＰプロキシ機能部を備え、
前記ＤＨＣＰプロキシ機能部は、当該モバイルＩＰ通信装置が属するアクセスサービスネットワーク内で共通のＩＰアドレスを有し、モバイルステーションから送られてくる前記共通のＩＰアドレス宛の更新メッセージを受信してＩＰアドレスの更新処理を行い、その更新結果を前記プロキシモバイルＩＰクライアント機能部および前記フォーリンエージェント機能部に通知する手段を備えることを特徴とするモバイルＩＰ通信装置。
【請求項７】
前記ＤＨＣＰプロキシ機能部は、モバイルステーションとの接続を別のモバイルＩＰ通信装置へ引き継ぐ際に、当該別のモバイルＩＰ通信装置へ該モバイルステーションに関する情報を通知する手段を備えることを特徴とする請求項６に記載のモバイルＩＰ通信装置。
【請求項８】
前記ＤＨＣＰプロキシ機能部は、別のモバイルＩＰ通信装置からモバイルステーションとの接続を受け継ぐ際に、当該別のモバイルＩＰ通信装置から該モバイルステーションに関する情報を取得する手段を備えることを特徴とする請求項６に記載のモバイルＩＰ通信装置。
【請求項９】
前記ＤＨＣＰプロキシ機能部は、別のモバイルＩＰ通信装置からの情報通知のないモバイルステーションから送られてくる前記共通のＩＰアドレス宛の更新メッセージを受信し、該更新メッセージを別のモバイルＩＰ通信装置へ転送する手段を備えることを特徴とする請求項６に記載のモバイルＩＰ通信装置。
【請求項１０】
プロキシモバイルＩＰクライアント機能部、フォーリンエージェント機能部およびＤＨＣＰプロキシ機能部を備え、
前記ＤＨＣＰプロキシ機能部は、別のモバイルＩＰ通信装置からモバイルステーションに関する情報を取得し、該モバイルステーションから送られてくる更新メッセージを受信し、該更新メッセージを前記別のモバイルＩＰ通信装置へ転送する手段と、前記更新メッセージの転送に応答して前記別のモバイルＩＰ通信装置から送られてくる更新内容を取得し、該更新内容を前記プロキシモバイルＩＰクライアント機能部および前記フォーリンエージェント機能部に通知する手段を備えることを特徴とするモバイルＩＰ通信装置。
【請求項１１】
前記ＤＨＣＰプロキシ機能部は、情報通知のないモバイルステーションから送られてくる前記別のモバイルＩＰ通信装置のＩＰアドレス宛の更新メッセージを受信し、該更新メッセージを同別のモバイルＩＰ通信装置へ転送する手段を備えることを特徴とする請求項１０に記載のモバイルＩＰ通信装置。
【請求項１２】
アクセスサービスネットワーク内に、プロキシモバイルＩＰクライアント機能部、フォーリンエージェント機能部およびＤＨＣＰプロキシ機能部を備えた複数のモバイルＩＰ通信装置が存在し、各モバイルＩＰ通信装置のＤＨＣＰプロキシ機能部が共通のＩＰアドレスを有する通信システムにおけるモバイルＩＰ通信方法であって、
モバイルステーションの移動前の接続先である第１のモバイルＩＰ通信装置のＤＨＣＰプロキシ機能部が、モバイルステーションの移動後の接続先である第２のモバイルＩＰ通信装置へ該モバイルステーションに関する情報を通知するステップと、
前記第２のモバイルＩＰ通信装置のＤＨＣＰプロキシ機能部が、前記第１のモバイルＩＰ通信装置から送られてくる前記モバイルステーションに関する情報を取得するステップと、
前記第２のモバイルＩＰ通信装置のＤＨＣＰプロキシ機能部が、モバイルステーションから送られてくる前記共通のＩＰアドレス宛の更新メッセージを受信し、前記第１のモバイルＩＰ通信装置から取得した前記モバイルステーションに関する情報に基づいてＩＰアドレスの更新処理を行うステップと、
前記第２のモバイルＩＰ通信装置のＤＨＣＰプロキシ機能部が、ＩＰアドレスの更新結果を自装置のプロキシモバイルＩＰクライアント機能部およびフォーリンエージェント機能部に通知するステップと、
を含むことを特徴とするモバイルＩＰ通信方法。
【請求項１３】
前記第２のモバイルＩＰ通信装置のＤＨＣＰプロキシ機能部が、情報通知のないモバイルステーションから送られてくる前記共通のＩＰアドレス宛の更新メッセージを受信し、該更新メッセージを前記第１のモバイルＩＰ通信装置へ転送するステップと、
前記第１のモバイルＩＰ通信装置のＤＨＣＰプロキシ機能部が、前記第２のモバイルＩＰ通信装置から送られてくる前記更新メッセージを受信し、ＩＰアドレスの更新処理を行うステップと、
前記第１のモバイルＩＰ通信装置のＤＨＣＰプロキシ機能部が、ＩＰアドレスの更新結果を自装置のプロキシモバイルＩＰクライアント機能部およびフォーリンエージェント機能部に通知するステップと、
を含むことを特徴とする請求項１２に記載のモバイルＩＰ通信方法。
【請求項１４】
アクセスサービスネットワーク内に、プロキシモバイルＩＰクライアント機能部、フォーリンエージェント機能部およびＤＨＣＰプロキシ機能部を備えた複数のモバイルＩＰ通信装置が存在する通信システムにおけるモバイルＩＰ通信方法であって、
モバイルステーションの移動前の接続先である第１のモバイルＩＰ通信装置が、モバイルステーションの移動後の接続先である第２のモバイルＩＰ通信装置へ当該モバイルステーションに関する情報を通知するとともに、前記第２のモバイルＩＰ通信装置が、自装置のＩＰアドレスを前記第１のモバイルＩＰ通信装置へ通知するステップと、
前記第２のモバイルＩＰ通信装置のＤＨＣＰプロキシ機能部が、前記第１のモバイルＩＰ通信装置から送られてくる前記モバイルステーションに関する情報を取得するとともに、前記第１のモバイルＩＰ通信装置が、前記第２のモバイルＩＰ通信装置のＩＰアドレスを取得するステップと、
前記第２のモバイルＩＰ通信装置のＤＨＣＰプロキシ機能部が、モバイルステーションから送られてくる前記第１のモバイルＩＰ通信装置のＩＰアドレス宛の更新メッセージを受信し、該更新メッセージを前記第１のモバイルＩＰ通信装置へ転送するステップと、
前記第１のモバイルＩＰ通信装置のＤＨＣＰプロキシ機能部が、前記第２のモバイルＩＰ通信装置から更新メッセージを受け取ってＩＰアドレスの更新処理を行い、その更新結果を前記第２のモバイルＩＰ通信装置へ転送するステップと、
前記第２のモバイルＩＰ通信装置のＤＨＣＰプロキシ機能部が、前記更新メッセージの転送に応答して前記第１のモバイルＩＰ通信装置から送られてくる更新内容を取得し、該更新内容を自装置のプロキシモバイルＩＰクライアント機能部およびフォーリンエージェント機能部に通知するステップと、
を含むことを特徴とするモバイルＩＰ通信方法。
【請求項１５】
前記第２のモバイルＩＰ通信装置のＤＨＣＰプロキシ機能部が、情報通知のないモバイルステーションから送られてくる前記第１のモバイルＩＰ通信装置のＩＰアドレス宛の更新メッセージを受信し、該更新メッセージを前記第１のモバイルＩＰ通信装置へ転送するステップと、
前記第１のモバイルＩＰ通信装置のＤＨＣＰプロキシ機能部が、前記第２のモバイルＩＰ通信装置から送られてくる前記更新メッセージを受信し、ＩＰアドレスの更新処理を行うステップと、
前記第１のモバイルＩＰ通信装置のＤＨＣＰプロキシ機能部が、ＩＰアドレスの更新結果を自装置のプロキシモバイルＩＰクライアント機能部およびフォーリンエージェント機能部に通知するステップと、
を含むことを特徴とする請求項１４に記載のモバイルＩＰ通信方法。
【発明の詳細な説明】
【技術分野】
【０００１】
本発明は、モバイルＩＰ通信システム、モバイルＩＰ通信装置およびモバイルＩＰ通信方法に関するものである。
【背景技術】
【０００２】
近時、高速、かつ長距離伝送が可能な無線通信技術として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ワイマックス）が注目されている。ＷｉＭＡＸシステムは、ＩＰプロトコルを用いたネットワークへの適用を前提としている。ＷｉＭＡＸシステムでは、レイヤ３のモビリティ技術（モバイルＩＰ）と、ＩＥＥＥ８０２．１６ｅの技術を基礎としたレイヤ２のモビリティ技術を組み合わせて、移動サービスが実現される。【０００３】
現在、そのためのプロトコル仕様が、業界団体であるＷｉＭＡＸフォーラムにおいて策定されている。また、モバイルＩＰ機能を具備しない移動端末に対して、ＷｉＭＡＸシステムを利用した移動サービスを提供するために、ネットワーク側にモバイルＩＰのクライアント機能を持たせる「プロキシモバイルＩＰ方式」が検討されている。さらに、移動端末へのＩＰアドレスの付与方法として、インターネット接続サービスで広く利用されているＤＨＣＰ（Ｄｙｎａｍｉｃ  Ｈｏｓｔ  Ｃｏｎｆｉｇｕｒａｔｉｏｎ  Ｐｒｏｔｏｃｏｌ）を用いた方式を実現するために、ネットワーク側にＤＨＣＰプロキシ機能を持たせる方式が議論されている。【０００４】
図９は、プロキシモバイルＩＰ方式のＷｉＭＡＸシステムの構成を示す図である。図９に示すように、一般に、ＷｉＭＡＸシステムは、コアサービスネットワーク（ＣＳＮ：Ｃｏｒｅ  Ｓｅｒｖｉｃｅ  Ｎｅｔｗｏｒｋ）１、アクセスサービスネットワーク（ＡＳＮ：Ａｃｃｅｓｓ  Ｓｅｒｖｉｃｅ  Ｎｅｔｗｏｒｋ）２、および移動端末であるモバイルステーション（ＭＳ：Ｍｏｂｉｌｅ  Ｓｔａｔｉｏｎ）３から構成される。【０００５】
コアサービスネットワーク１の中には、ホームエージェント（ＨＡ：Ｈｏｍｅ  Ａｇｅｎｔ）４、認証（Ａｕｔｈｅｎｔｉｃａｔｉｏｎ）／許可（Ａｕｔｈｏｒｉｚａｔｉｏｎ）／課金（Ａｃｃｏｕｎｔｉｎｇ）および情報の収集などを行うＡＡＡサーバ５、並びにＤＨＣＰサーバ６がある。アクセスサービスネットワーク２の中には、複数、図示例では２個のアクセスサービスネットワークゲートウェイ７，８と、アクセスサービスネットワークゲートウェイ７，８ごとに複数、図示例では２個ずつのベースステーション（ＢＳ：Ｂａｓｅ  Ｓｔａｔｉｏｎ）９，１０，１１，１２がある。【０００６】
アクセスサービスネットワークゲートウェイ７，８およびベースステーション９，１０，１１，１２は、連携して、モバイルステーション３のＩＰアドレス管理や、モバイルステーション３の移動に伴うハンドオーバ制御を行う。なお、本明細書では、２つのアクセスサービスネットワークゲートウェイを区別する必要がある場合には、一方をアクセスサービスネットワークゲートウェイＡとし、他方をアクセスサービスネットワークゲートウェイＢとする。例えば、アクセスサービスネットワークゲートウェイＡ７には、ベースステーション９，１０が接続され、アクセスサービスネットワークゲートウェイＢ８には、ベースステーション１１，１２が接続される。【０００７】
アクセスサービスネットワークゲートウェイＡ７には、プロキシモバイルＩＰ（ＰＭＩＰ：Ｐｒｏｘｙ  Ｍｏｂｉｌｅ  ＩＰ）クライアント機能部Ａ１３、フォーリンエージェント（ＦＡ：Ｆｏｒｅｉｇｎ  Ａｇｅｎｔ）／アンカーデータパス（Ａｎｃｈｏｒ−Ｄａｔａ  Ｐａｔｈ）機能部Ａ１４およびＤＨＣＰプロキシ機能部Ａ１５がある。同様に、アクセスサービスネットワークゲートウェイＢ８には、プロキシモバイルＩＰクライアント機能部Ｂ１６、フォーリンエージェント／アンカーデータパス機能部Ｂ１７およびＤＨＣＰプロキシ機能部Ｂ１８がある。アンカーデータパス機能とは、ユーザーデータ（パケット）をＧＲＥ（Ｇｅｎｅｒｉｃ  Ｒｏｕｔｉｎｇ  Ｅｎｃａｐｓｕｌａｔｉｏｎ）等の技術によってカプセル化してベースステーションまで運ぶ機能のことである。【０００８】
なお、本明細書において、機能部の名称の末尾（符号の数字の前）に“Ａ”がついた機能部は、アクセスサービスネットワークゲートウェイＡを構成し、“Ｂ”がついた機能部は、アクセスサービスネットワークゲートウェイＢを構成する。モバイルステーション３が初期ネットワークへ登録をする場合には、ホームエージェント４やＡＡＡサーバ５やＤＨＣＰサーバ６からＩＰアドレスが払い出される。【０００９】
ＤＨＣＰプロキシ機能部Ａ１５は、ＤＨＣＰサーバ６の代理として、その払い出されたＩＰアドレスをモバイルステーション３に払い出す。ＤＨＣＰを利用する際には、払い出すＩＰアドレスの更新処理が必要となる。また、モバイルステーション３のＨｏＡ（Ｈｏｍｅ  Ａｄｄｒｅｓｓ、ホームアドレス）が変わった場合には、プロキシモバイルＩＰクライアント機能部Ａ１３に対して、新たなＩＰアドレスを通知する必要がある。【００１０】
図９において、コレスポンディングノード１９がインターネット２０へモバイルステーション３（ＩＰアドレス：ｍとする）宛のパケットを送信すると、そのパケットは、インターネット２０を経由してホームエージェント４に到着する。ホームエージェント４は、管理テーブルを検索し、フォーリンエージェント／アンカーデータパス機能部Ａ１４のフォーリンエージェント機能部（ＩＰアドレス：Ｓとする）を転送先に決定する。そして、ホームエージェント４は、宛先ＩＰアドレスがｍのパケットを宛先ＩＰアドレスがＳのパケットの中にカプセル化し、それをＲ３データパスによるＩＰトンネリング技術によって送信する。【００１１】
フォーリンエージェント／アンカーデータパス機能部Ａ１４のフォーリンエージェント機能部は、自分宛のパケットを受信すると、そのパケットのカプセル化を外し、宛先ＩＰアドレスがｍのパケットを取り出す。フォーリンエージェント機能部は、管理テーブルを検索し、ベースステーション９（ＩＰアドレス：Ｃとする）を転送先に決定する。そして、フォーリンエージェント機能部は、宛先ＩＰアドレスがｍのパケットを宛先ＩＰアドレスがＣのパケットの中にカプセル化し、それをＲ６データパスによるＩＰトンネリング技術によって送信する。【００１２】
ベースステーション９は、自分宛のパケットを受信すると、そのパケットのカプセル化を外し、宛先ＩＰアドレスがｍのパケットを取り出す。そして、ベースステーション９は、そのパケットをモバイルステーション３へ送信する。モバイルステーション３の移動に伴って、モバイルステーション３の接続先のベースステーションが、適宜、切り替わる。モバイルステーション３の移動後の接続先が、移動前と同じアクセスサービスネットワークゲートウェイＡ７に接続された別のベースステーション１０の場合もある。【００１３】
図１０は、モバイルステーションの移動による接続先の切り替わりを示す図である。図１０に示すように、モバイルステーション３の移動後の接続先が、移動前とは異なるアクセスサービスネットワークゲートウェイＢ８に接続されたベースステーション１１となる場合もある。この場合、モバイルステーション３のハンドオーバによって、アクセスサービスネットワークゲートウェイＡ７内のフォーリンエージェント／アンカーデータパス機能部Ａ１４に代わって、アクセスサービスネットワークゲートウェイＢ８内のフォーリンエージェント／アンカーデータパス機能部Ｂ１７がホームエージェント４と連携して接続を制御することになる。このような切り替わりは、特定のモバイルステーションとホームエージェント４との間の接続を制御するフォーリンエージェント／アンカーデータパス機能部が別のアクセスサービスネットワークゲートウェイに移動したように捉えるられるので、リロケーションと呼ばれる。【００１４】
ところで、無線ＬＡＮシステムを介してインターネットに接続している移動端末がハンドオーバによりＢＳＳ（基本サービスセット）が変更となった場合にも、データの送受信を中断等することなくインターネットへの接続を継続可能とする移動端末制御方法が公知である。この移動端末制御方法は、自端末のハンドオーバによるＢＳＳの変更があったことを検出する検出ステップと、検出ステップによりＢＳＳの変更を検出したときに、データの送受信を継続しながらＤＨＣＰサーバにサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う制御ステップとを備えたことを特徴とする（例えば、特許文献１参照。）。【００１５】
また、ネットワークＩＰアドレスが自動配布される端末の管理を行うネットワーク管理システムが公知である。このネットワーク管理システムは、ネットワーク内の機器と通信を行い、機器に対するネットワークＩＰアドレスを取得する通信確認部と、ネットワークＩＰアドレスを自動配布するサーバに対して、配布したネットワークＩＰアドレスの問い合わせを行うＩＰアドレス問い合せ部と、ネットワークで管理している機器のネットワークＩＰアドレスの情報を格納する機器ＩＰアドレス情報格納部と、通信確認部からの通知またはＩＰアドレス問い合せ部からの通知を受けた場合は、機器ＩＰアドレス情報格納部の情報と比較し、通知されたネットワークＩＰアドレスが存在しない場合は、ネットワークＩＰアドレスが未登録であるという情報を出力する自動機器認識部とを備えたことを特徴とする（例えば、特許文献２参照。）。【００１６】
【特許文献１】特開２００５−１２４０８７号公報（段落番号［００１１］）
【特許文献２】特開２０００−２７００２０号公報（段落番号［０００８］）
【発明の開示】
【発明が解決しようとする課題】
【００１７】
しかしながら、上述した従来のプロキシモバイルＩＰ方式のＷｉＭＡＸシステムでは、ＤＨＣＰプロキシ機能部の動作がモバイルステーションの移動を想定していないため、モバイルステーションの移動によってアクセスサービスネットワークゲートウェイの切り替えが発生すると、次のような問題点がある。図１０に示すように、アクセスサービスネットワークゲートウェイがＡからＢに切り替わると、リロケーションが起こって、新たにアクセスサービスネットワークゲートウェイＢ８内のフォーリンエージェント／アンカーデータパス機能部Ｂ１７がベースステーション１１およびホームエージェント４との接続を担当することになる。【００１８】
しかし、モバイルステーション３は、ネットワーク側でアンカーデータパス機能とフォーリンエージェント機能の担当がフォーリンエージェント／アンカーデータパス機能部Ｂ１７に変更されたことを認識できないので、初期ネットワークへの登録時のＤＨＣＰプロキシ機能部Ａ１５に対してＩＰアドレスの更新を要求する。そのため、アクセスサービスネットワークゲートウェイＢ８のフォーリンエージェント／アンカーデータパス機能部Ｂ１７は、アクセスサービスネットワークゲートウェイＡ７のＤＨＣＰプロキシ機能部Ａ１５によるＩＰアドレスの更新結果を知ることができない。【００１９】
ホームエージェント４とフォーリンエージェント機能部は、モバイルステーション３のＩＰアドレスを含めて関連付けられているので、モバイルステーション３のＩＰアドレスが更新されると、それらの関係を再設定する必要がある。しかし、モバイルステーション３のＩＰアドレスの更新結果がわからないと、この再設定を行うことができないため、エンド−エンド間、すなわちモバイルステーション３とコレスポンディングノード１９の間の接続を維持することができなくなってしまう。【００２０】
本発明は、上記に鑑みてなされたものであって、モバイルＩＰクライアント機能のないモバイルステーションが移動しても、ダイナミックＩＰアドレス割り当て機能（ＤＨＣＰ）によって払い出されたＩＰアドレスの更新処理を継続し、ネットワークの接続性を維持することができるモバイルＩＰ通信システム、モバイルＩＰ通信装置およびモバイルＩＰ通信方法を提供することを目的とする。
【課題を解決するための手段】
【００２１】
上述した課題を解決し、目的を達成するために、本発明は、アクセスサービスネットワーク内に存在する複数のモバイルＩＰ通信装置（アクセスサービスネットワークゲートウェイ）において、ＤＨＣＰプロキシ機能部のＩＰアドレスが共通であるという特徴を有する。また、モバイルステーションのハンドオーバによってフォーリンエージェント／アンカーデータパス機能部のリロケーションが起こる際に、リロケーション前のモバイルＩＰ通信装置からリロケーション先のモバイルＩＰ通信装置のＤＨＣＰプロキシ機能部にモバイルステーションに関する情報としてＤＨＣＰプロキシ情報を通知するという特徴を有する。【００２２】
この発明によれば、アクセスサービスネットワーク内においてＤＨＣＰプロキシ機能部のＩＰアドレスが共通であることによって、全てのモバイルＩＰ通信装置のＤＨＣＰプロキシ機能部は、全てのモバイルステーションのアドレス更新メッセージを受信することができる。従って、モバイルステーションのＩＰアドレスを更新したＤＨＣＰプロキシ機能部は、フォーリンエージェント／アンカーデータパス機能部にＩＰアドレスの更新状況を伝えることができるので、ＩＰアドレスの更新によるＨｏＡ（Ｈｏｍｅ  Ａｄｄｒｅｓｓ、ホームアドレス）の変化に追随してモバイルＩＰ動作を実現することができる。【００２３】
また、リロケーション前のモバイルＩＰ通信装置のＤＨＣＰプロキシ機能部からリロケーション先のモバイルＩＰ通信装置のＤＨＣＰプロキシ機能部に、モバイルステーションのＩＰアドレスのリリース時間等を通知することによって、リロケーション先のモバイルＩＰ通信装置のＤＨＣＰプロキシ機能部にＩＰアドレスの更新処理を引き継ぐことができる。従って、同じモバイルＩＰ通信装置内のフォーリンエージェント／アンカーデータパス機能部とＤＨＣＰプロキシ機能部でもって、特定のモバイルステーションとホームエージェントとの接続を制御することができる。【００２４】
アクセスサービスネットワーク内において、ＤＨＣＰプロキシ機能部のＩＰアドレスが共通でない場合には、以下のような特徴を有する。モバイルステーションのハンドオーバによってフォーリンエージェント／アンカーデータパス機能部のリロケーションが起こる際に、リロケーション前のモバイルＩＰ通信装置からリロケーション先のモバイルＩＰ通信装置にモバイルステーションに関する情報を通知する。また、リロケーション先のモバイルＩＰ通信装置は、自装置のＩＰアドレスをリロケーション前のモバイルＩＰ通信装置に通知する。【００２５】
この発明によれば、リロケーション前のモバイルＩＰ通信装置は、自装置のＤＨＣＰプロキシ機能部によるＩＰアドレスの更新内容の転送先（リロケーション先のモバイルＩＰ通信装置）を知ることができる。従って、ＤＨＣＰプロキシ機能部とフォーリンエージェント／アンカーデータパス機能部が同じモバイルＩＰ通信装置内にない場合でも、リロケーション先のフォーリンエージェント／アンカーデータパス機能部は、ＩＰアドレスの更新状況を知ることができる。
【発明の効果】
【００２６】
本発明にかかるモバイルＩＰ通信システム、モバイルＩＰ通信装置およびモバイルＩＰ通信方法は、モバイルＩＰクライアント機能のないモバイルステーションが移動しても、ダイナミックＩＰアドレス割り当て機能（ＤＨＣＰ）によって払い出されたＩＰアドレスの更新処理を継続し、ネットワークの接続性を維持することができるという効果を奏する。
【図面の簡単な説明】
【００２７】
【図１】図１は、この発明の実施例１にかかるモバイルＩＰ通信システムのリロケーション後の構成およびデータ経路を示す図である。
【図２】図２は、図１に示すリロケーション後のデータ経路によるアドレス更新手順を示す図である。
【図３】図３は、この発明の実施例１にかかるモバイルＩＰ通信システムのリロケーション前の構成およびデータ経路を示す図である。
【図４】図４は、この発明の実施例１にかかるモバイルＩＰ通信システムにおけるアドレス更新処理の流れを示す図である。
【図５】図５は、この発明の実施例２にかかるモバイルＩＰ通信システムのリロケーション後の構成およびデータ経路を示す図である。
【図６】図６は、図５に示すリロケーション後のデータ経路によるアドレス更新手順を示す図である。
【図７】図７は、この発明の実施例２にかかるモバイルＩＰ通信システムのリロケーション前の構成およびデータ経路を示す図である。
【図８】図８は、この発明の実施例２にかかるモバイルＩＰ通信システムにおけるアドレス更新処理の流れを示す図である。
【図９】図９は、プロキシモバイルＩＰ方式のＷｉＭＡＸシステムの構成を示す図である。
【図１０】図１０は、モバイルステーションの移動による接続先の切り替わりを示す図である。
【符号の説明】
【００２８】
２  アクセスサービスネットワーク
３  モバイルステーション
７，８  アクセスサービスネットワークゲートウェイ
１３，１６  プロキシモバイルＩＰクライアント機能部
１４，１７  フォーリンエージェント／アンカーデータパス機能部
１５，１８  ＤＨＣＰプロキシ機能部
【発明を実施するための最良の形態】
【００２９】
以下に、本発明にかかるモバイルＩＰ通信システム、モバイルＩＰ通信装置およびモバイルＩＰ通信方法の実施例を図面に基づいて詳細に説明する。ここでは、本発明をプロキシモバイルＩＰ方式のＷｉＭＡＸシステムに適用した場合について説明する。なお、この実施例によりこの発明が限定されるものではない。
【実施例１】
【００３０】
図１は、この発明の実施例１にかかるモバイルＩＰ通信システムのリロケーション後の構成およびデータ経路を示す図である。図１において、符号を付した矢印は、データ経路を表している（図３、図５および図７においても同じ）。図１に示すように、モバイルＩＰ通信システムの構成は、一般的なプロキシモバイルＩＰ方式のＷｉＭＡＸシステムの構成と同じである。従って、一般的なプロキシモバイルＩＰ方式のＷｉＭＡＸシステムと同じ構成および動作については、説明を省略する。また、アクセスサービスネットワークゲートウェイＡ７およびアクセスサービスネットワークゲートウェイＢ８を、それぞれ、リロケーション前のモバイルＩＰ通信装置およびリロケーション先のモバイルＩＰ通信装置とする。【００３１】
アクセスサービスネットワーク２内に存在する複数、図示例ではＡとＢの２個のアクセスサービスネットワークゲートウェイ７，８のＤＨＣＰプロキシ機能部１５，１８は、共通のＩＰアドレス（Ｗとする）を有する。従って、アクセスサービスネットワークゲートウェイ７，８内のＤＨＣＰプロキシ機能部１５，１８は、それぞれ、自アクセスサービスネットワークゲートウェイ７，８の配下に接続されているモバイルステーションからのＩＰアドレス更新メッセージを受信することができる。【００３２】
また、アクセスサービスネットワークゲートウェイ７，８は、プロキシモバイルＩＰクライアント機能部１３，１６およびフォーリンエージェント／アンカーデータパス機能部１４，１７のリロケーションが起こる際に、リロケーション前のＤＨＣＰプロキシ情報、例えばモバイルステーション３のＩＰアドレスのリリース時間等をリロケーション先のアクセスサービスネットワークゲートウェイへ通知する機能を有する。これによって、リロケーション前のアクセスサービスネットワークゲートウェイＡ７のプロキシモバイルＩＰクライアント機能部Ａ１３およびフォーリンエージェント／アンカーデータパス機能部Ａ１４のリロケーションとともに、ＤＨＣＰプロキシ機能部Ａ１５のリロケーションを実施できたことになる。【００３３】
図２は、図１に示すリロケーション後のデータ経路によるアドレス更新手順を示す図である。予め、モバイルステーション３は、アクセスサービスネットワークゲートウェイＡ７の配下のベースステーション９に接続しているとき（図９参照）に、初期ネットワーク登録を実施しているとする。図９に示す状態において、モバイルステーション３に対して、初期登録を実施したアクセスサービスネットワークゲートウェイＡ７内のＤＨＣＰプロキシ機能部Ａ１５からＩＰアドレスが払い出される。これ以降、モバイルステーション３は、ＩＰアドレスの更新が必要な場合、ＩＰアドレスＷのＤＨＣＰプロキシ機能部１５，１８にＩＰアドレスの更新を要求する。【００３４】
また、モバイルステーション３のハンドオーバによって、プロキシモバイルＩＰクライアント機能部Ａ１３およびフォーリンエージェント／アンカーデータパス機能部Ａ１４からプロキシモバイルＩＰクライアント機能部Ｂ１６およびフォーリンエージェント／アンカーデータパス機能部Ｂ１７へのリロケーションが起こっているとする。また、その際に、アクセスサービスネットワークゲートウェイＡ７内のＤＨＣＰプロキシ情報がアクセスサービスネットワークゲートウェイＢ８に通知されており、ＤＨＣＰプロキシ機能部Ａ１５からＤＨＣＰプロキシ機能部Ａ１５へのリロケーションも起こっているとする。この場合、アクセスサービスネットワークゲートウェイＢ８は、自装置がモバイルステーション３とホームエージェント４との間の接続を制御する構成に変化したことを認識している。【００３５】
図２に示すように、ＩＰアドレスの更新が必要な場合、まず、モバイルステーション３は、ＩＰアドレスＷ宛にＤＨＣＰディスカバー（ＤＨＣＰ  Ｄｉｓｃｏｖｅｒ）メッセージを送信する。ＤＨＣＰプロキシ機能部Ｂ１８のＩＰアドレスはＷであるので、アクセスサービスネットワークゲートウェイＢ８は、ＩＰアドレスＷ宛のメッセージを受信することができる（図１の矢印３１、矢印３２）。アクセスサービスネットワークゲートウェイＢ８において、ＤＨＣＰディスカバー（ＤＨＣＰ  Ｄｉｓｃｏｖｅｒ）メッセージは、フォーリンエージェント／アンカーデータパス機能部Ｂ１７のアンカーデータパス機能部を経由してＤＨＣＰプロキシ機能部Ｂ１８により受信される（ステップＳ１、図１の矢印３３）。【００３６】
続いて、ＤＨＣＰプロキシ機能部Ｂ１８は、フォーリンエージェント／アンカーデータパス機能部Ｂ１７のアンカーデータパス機能部を経由してモバイルステーション３へＤＨＣＰオファー（ＤＨＣＰ  Ｏｆｆｅｒ）メッセージを返す（ステップＳ２、図１の矢印３３、矢印３２、矢印３１）。続いて、モバイルステーション３は、ＩＰアドレスＷ宛にＤＨＣＰリクエスト（ＤＨＣＰ  Ｒｅｑｕｅｓｔ）メッセージを送信する（図１の矢印３１、矢印３２）。そのメッセージは、フォーリンエージェント／アンカーデータパス機能部Ｂ１７のアンカーデータパス機能部を経由してＤＨＣＰプロキシ機能部Ｂ１８により受信される（ステップＳ３、図１の矢印３３）。【００３７】
次いで、ＤＨＣＰプロキシ機能部Ｂ１８は、モバイルステーション３のＩＰアドレスの更新処理を行い、ＩＰ更新情報をプロキシモバイルＩＰクライアント機能部Ｂ１６へ送る（ステップＳ４、図１の矢印３４）。プロキシモバイルＩＰクライアント機能部Ｂ１６は、フォーリンエージェント／アンカーデータパス機能部Ｂ１７のフォーリンエージェント機能部を経由してホームエージェント４へＭＩＰレジストレーションリクエスト（ＭＩＰ  ＲＲＱ：ＭＩＰ  Ｒｅｇｉｓｔｒａｔｉｏｎ  Ｒｅｑｕｅｓｔ）メッセージを送る（ステップＳ５、ステップＳ６、図１の矢印３５、矢印３６）。【００３８】
ホームエージェント４は、モバイルステーション３の新しいＩＰアドレスを再登録し、アクセスサービスネットワークゲートウェイＢ８へＭＩＰレジストレーションレスポンス（ＭＩＰ  ＲＲＰ：ＭＩＰ  Ｒｅｇｉｓｔｒａｔｉｏｎ  Ｒｅｓｐｏｎｓｅ）メッセージを返す（ステップＳ７、図１の矢印３６）。そのＭＩＰレジストレーションレスポンス（ＭＩＰ  ＲＲＰ）メッセージは、フォーリンエージェント／アンカーデータパス機能部Ｂ１７のフォーリンエージェント機能部を経由してプロキシモバイルＩＰクライアント機能部Ｂ１６へ転送される（ステップＳ８、図１の矢印３５）。【００３９】
プロキシモバイルＩＰクライアント機能部Ｂ１６は、ＤＨＣＰプロキシ機能部Ｂ１８にＩＰ更新情報アック（ＩＰ更新情報Ａｃｋ：ＩＰ更新情報Ａｃｋｎｏｗｌｅｄｇｅｍｅｎｔ）メッセージを送る（ステップＳ９、図１の矢印３４）。ＤＨＣＰプロキシ機能部Ｂ１８は、フォーリンエージェント／アンカーデータパス機能部Ｂ１７のアンカーデータパス機能部を経由してモバイルステーション３にＤＨＣＰアック（ＤＨＣＰ  Ａｃｋ：ＤＨＣＰ  Ａｃｋｎｏｗｌｅｄｇｅｍｅｎｔ）メッセージを送り（ステップＳ１０、図１の矢印３３、矢印３２、矢印３１）、モバイルステーション３のアドレス更新を終了する。【００４０】
図３は、この発明の実施例１にかかるモバイルＩＰ通信システムのリロケーション前の構成およびデータ経路を示す図である。図３に示すように、この場合、移動によってモバイルステーション３の接続先がアクセスサービスネットワークゲートウェイＢ８の配下のベースステーション１１に変わっているが、プロキシモバイルＩＰクライアント機能部Ａ１３、フォーリンエージェント／アンカーデータパス機能部Ａ１４およびＤＨＣＰプロキシ機能部Ａ１５のリロケーションは起こっていない。従って、アクセスサービスネットワークゲートウェイＡ７からアクセスサービスネットワークゲートウェイＢ８にＤＨＣＰプロキシ情報が通知されていないので、アクセスサービスネットワークゲートウェイＢ８は、モバイルステーション３とホームエージェント４との間の接続の制御に関与しない。【００４１】
この状態でＩＰアドレスの更新が必要な場合、まず、アクセスサービスネットワークゲートウェイＢ８のＤＨＣＰプロキシ機能部Ｂ１８は、モバイルステーション３からのＩＰアドレスＷ宛のＤＨＣＰリクエスト（ＤＨＣＰ  Ｒｅｑｕｅｓｔ）メッセージを受信する（図３の矢印３１、矢印３２、矢印３３）。そして、アクセスサービスネットワークゲートウェイＢ８は、ＩＰアドレスの更新処理を自装置のＤＨＣＰプロキシ機能部Ｂ１８で実施する必要がないと判断し、ＤＨＣＰリクエスト（ＤＨＣＰ  Ｒｅｑｕｅｓｔ）メッセージをアクセスサービスネットワークゲートウェイＡ７へ転送する（図３の矢印４１）。【００４２】
アクセスサービスネットワークゲートウェイＡ７のＤＨＣＰプロキシ機能部Ａ１５は、ＤＨＣＰリクエスト（ＤＨＣＰ  Ｒｅｑｕｅｓｔ）メッセージを受信し、モバイルステーション３のＩＰアドレスの更新処理を行い、ＩＰ更新情報をプロキシモバイルＩＰクライアント機能部Ａ１３へ送る（図３の矢印４２）。プロキシモバイルＩＰクライアント機能部Ａ１３は、フォーリンエージェント／アンカーデータパス機能部Ａ１４のフォーリンエージェント機能部を経由してホームエージェント４へＭＩＰレジストレーションリクエスト（ＭＩＰ  ＲＲＱ）メッセージを送る（図３の矢印４３、矢印４４）。そして、ホームエージェント４は、モバイルステーション３の新しいＩＰアドレスを再登録し、逆の経路を辿ってモバイルステーション３にアック（Ａｃｋ）を返し、モバイルステーション３のアドレス更新を終了する。【００４３】
図４は、この発明の実施例１にかかるモバイルＩＰ通信システムにおけるアドレス更新処理の流れを示す図である。図４に示すアドレス更新処理は、移動によってモバイルステーション３の接続先がアクセスサービスネットワークゲートウェイＢ８の配下のベースステーション１１に変わった状態、すなわち図１または図３の状態において、アクセスサービスネットワークゲートウェイＢ８が実施する処理である。【００４４】
図４に示すように、ＩＰアドレス更新処理が開始されると、アクセスサービスネットワークゲートウェイＢ８のＤＨＣＰプロキシ機能部Ｂ１８は、モバイルステーション３からＤＨＣＰリクエスト（ＤＨＣＰ  Ｒｅｑｕｅｓｔ）メッセージを受信する（ステップＳ３１）。そして、アクセスサービスネットワークゲートウェイＢ８は、アクセスサービスネットワークゲートウェイＡ７から自装置へのフォーリンエージェント機能部のリロケーションが起こっているか否かを判断する（ステップＳ３２）。リロケーションが起こっていれば（ステップＳ３２：Ｙｅｓ）、アクセスサービスネットワークゲートウェイＢ８は、自装置内のＤＨＣＰプロキシ機能部Ｂ１８でＩＰアドレスを更新する（ステップＳ３３）。【００４５】
そして、ＤＨＣＰプロキシ機能部Ｂ１８は、その更新結果を自装置内のフォーリンエージェント機能部に通知し（ステップＳ３４）、ＩＰアドレス更新処理を終了する。一方、ステップＳ３２でフォーリンエージェント機能部のリロケーションが起こっていない場合（ステップＳ３２：Ｎｏ）には、アクセスサービスネットワークゲートウェイＢ８は、Ｒ４データパスにＤＨＣＰリクエスト（ＤＨＣＰ  Ｒｅｑｕｅｓｔ）メッセージを転送し（ステップＳ３５）、アクセスサービスネットワークゲートウェイＢ８におけるＩＰアドレス更新処理を終了する。実際のＩＰアドレス更新処理は、ＤＨＣＰリクエスト（ＤＨＣＰ  Ｒｅｑｕｅｓｔ）メッセージの転送先であるアクセスサービスネットワークゲートウェイＡ７において実施され、その更新結果がアクセスサービスネットワークゲートウェイＡ７内のフォーリンエージェント機能部に通知される。
【実施例２】
【００４６】
図５は、この発明の実施例２にかかるモバイルＩＰ通信システムのリロケーション後の構成およびデータ経路を示す図である。図５に示すように、実施例２が実施例１と異なるのは、アクセスサービスネットワークゲートウェイＡ７とアクセスサービスネットワークゲートウェイＢ８とで、ＤＨＣＰプロキシ機能部１５，１８のＩＰアドレスが異なることである。ＤＨＣＰプロキシ機能部Ａ１５のＩＰアドレスをＸとし、ＤＨＣＰプロキシ機能部Ｂ１８のＩＰアドレスをＹとする。【００４７】
また、アクセスサービスネットワークゲートウェイ７，８は、プロキシモバイルＩＰクライアント機能部１３，１６およびフォーリンエージェント／アンカーデータパス機能部１４，１７のリロケーションが起こる際に、リロケーション前のアクセスサービスネットワークゲートウェイからリロケーション先のアクセスサービスネットワークゲートウェイへリロケーションが起こったことを通知する機能を有する。さらに、アクセスサービスネットワークゲートウェイ７，８は、リロケーション先のアクセスサービスネットワークゲートウェイのＩＰアドレスをリロケーション前のアクセスサービスネットワークゲートウェイへ通知する機能を有する。【００４８】
図６は、図５に示すリロケーション後のデータ経路によるアドレス更新手順を示す図である。実施例１と同様に、予め、モバイルステーション３がアクセスサービスネットワークゲートウェイＡ７に対して初期ネットワーク登録を実施しているとする。従って、モバイルステーション３に対して、アクセスサービスネットワークゲートウェイＡ７内のＤＨＣＰプロキシ機能部Ａ１５からＩＰアドレスが払い出されており、モバイルステーション３は、ＩＰアドレスＸのＤＨＣＰプロキシ機能部Ａ１５にＩＰアドレスの更新を要求する。【００４９】
また、プロキシモバイルＩＰクライアント機能部Ａ１３およびフォーリンエージェント／アンカーデータパス機能部Ａ１４からプロキシモバイルＩＰクライアント機能部Ｂ１６およびフォーリンエージェント／アンカーデータパス機能部Ｂ１７へのリロケーションが起こっており、そのことがアクセスサービスネットワークゲートウェイＡ７からアクセスサービスネットワークゲートウェイＢ８に通知されているとする。さらに、アクセスサービスネットワークゲートウェイＢ８のＩＰアドレスＢがアクセスサービスネットワークゲートウェイＢ８からアクセスサービスネットワークゲートウェイＡ７に通知されているとする。アクセスサービスネットワークゲートウェイＡ７がアクセスサービスネットワークゲートウェイＢ８のＩＰアドレスを知っていることによって、アクセスサービスネットワークゲートウェイＡ７は、ＩＰアドレスの更新結果をアクセスサービスネットワークゲートウェイＢ８へ通知することができる。【００５０】
図６に示すように、ＩＰアドレスの更新が必要な場合、まず、モバイルステーション３は、ＩＰアドレスＸ宛にＤＨＣＰディスカバー（ＤＨＣＰ  Ｄｉｓｃｏｖｅｒ）メッセージを送信する。モバイルステーション３がアクセスサービスネットワークゲートウェイＢ８の配下にあるので、アクセスサービスネットワークゲートウェイＢ８が、ＩＰアドレスＸ宛のメッセージを受信する（図５の矢印３１、矢印３２）。アクセスサービスネットワークゲートウェイＢ８において、ＤＨＣＰディスカバー（ＤＨＣＰ  Ｄｉｓｃｏｖｅｒ）メッセージは、フォーリンエージェント／アンカーデータパス機能部Ｂ１７のアンカーデータパス機能部を経由してＤＨＣＰプロキシ機能部Ｂ１８により受信される（ステップＳ５１、図５の矢印３３）。【００５１】
ＤＨＣＰプロキシ機能部Ｂ１８は、ＩＰアドレスＸ宛のＤＨＣＰディスカバー（ＤＨＣＰ  Ｄｉｓｃｏｖｅｒ）メッセージをアクセスサービスネットワークゲートウェイＡ７のＤＨＣＰプロキシ機能部Ａ１５（ＩＰアドレス：Ｘ）へ転送する（ステップＳ５２、図５の矢印３７）。ＤＨＣＰプロキシ機能部Ａ１５は、ＤＨＣＰプロキシ機能部Ｂ１８へＤＨＣＰオファー（ＤＨＣＰ  Ｏｆｆｅｒ）メッセージを返す（ステップＳ５３、図５の矢印３７）。ＤＨＣＰプロキシ機能部Ｂ１８は、フォーリンエージェント／アンカーデータパス機能部Ｂ１７のアンカーデータパス機能部を経由してモバイルステーション３へＤＨＣＰオファー（ＤＨＣＰ  Ｏｆｆｅｒ）メッセージを転送する（ステップＳ５４、図５の矢印３３、矢印３２、矢印３１）。【００５２】
続いて、モバイルステーション３は、ＩＰアドレスＸ宛にＤＨＣＰリクエスト（ＤＨＣＰ  Ｒｅｑｕｅｓｔ）メッセージを送信する（図５の矢印３１、矢印３２）。そのメッセージは、アクセスサービスネットワークゲートウェイＢ８のフォーリンエージェント／アンカーデータパス機能部Ｂ１７のアンカーデータパス機能部を経由してＤＨＣＰプロキシ機能部Ｂ１８により受信される（ステップＳ５５、図５の矢印３３）。【００５３】
ＤＨＣＰプロキシ機能部Ｂ１８は、ＩＰアドレスＸ宛のＤＨＣＰリクエスト（ＤＨＣＰ  Ｒｅｑｕｅｓｔ）メッセージをＤＨＣＰプロキシ機能部Ａ１５（ＩＰアドレス：Ｘ）へ転送する（ステップＳ５６、図５の矢印３７）。ＤＨＣＰプロキシ機能部Ａ１５は、モバイルステーション３のＩＰアドレスの更新処理を行い、ＤＨＣＰプロキシ機能部Ｂ１８へＤＨＣＰアック（ＤＨＣＰ  Ａｃｋ）メッセージを返す（ステップＳ５７、図５の矢印３７）。ＤＨＣＰプロキシ機能部Ｂ１８は、ＩＰ更新情報をプロキシモバイルＩＰクライアント機能部Ｂ１６へ送る（ステップＳ５８、図５の矢印３４）。プロキシモバイルＩＰクライアント機能部Ｂ１６は、フォーリンエージェント／アンカーデータパス機能部Ｂ１７のフォーリンエージェント機能部を経由してホームエージェント４へＭＩＰレジストレーションリクエスト（ＭＩＰ  ＲＲＱ）メッセージを送る（ステップＳ５９、ステップＳ６０、図５の矢印３５、矢印３６）。【００５４】
ホームエージェント４は、モバイルステーション３の新しいＩＰアドレスを再登録し、アクセスサービスネットワークゲートウェイＢ８へＭＩＰレジストレーションレスポンス（ＭＩＰ  ＲＲＰ）メッセージを返す（ステップＳ６１、図５の矢印３６）。そのＭＩＰレジストレーションレスポンス（ＭＩＰ  ＲＲＰ）メッセージは、フォーリンエージェント／アンカーデータパス機能部Ｂ１７のフォーリンエージェント機能部を経由してプロキシモバイルＩＰクライアント機能部Ｂ１６へ転送される（ステップＳ６２、図５の矢印３５）。【００５５】
プロキシモバイルＩＰクライアント機能部Ｂ１６は、ＤＨＣＰプロキシ機能部Ｂ１８にＩＰ更新情報アック（ＩＰ更新情報Ａｃｋ）メッセージを送る（ステップＳ６３、図５の矢印３４）。ＤＨＣＰプロキシ機能部Ｂ１８は、フォーリンエージェント／アンカーデータパス機能部Ｂ１７のアンカーデータパス機能部を経由してモバイルステーション３にＤＨＣＰアック（ＤＨＣＰ  Ａｃｋ）メッセージを送り（ステップＳ６４、図５の矢印３３、矢印３２、矢印３１）、モバイルステーション３のアドレス更新を終了する。【００５６】
図７は、この発明の実施例２にかかるモバイルＩＰ通信システムのリロケーション前の構成およびデータ経路を示す図である。図７に示すように、この場合、移動によってモバイルステーション３の接続先がアクセスサービスネットワークゲートウェイＢ８の配下のベースステーション１１に変わっているが、プロキシモバイルＩＰクライアント機能部Ａ１３およびフォーリンエージェント／アンカーデータパス機能部Ａ１４のリロケーションは起こっていない。従って、アクセスサービスネットワークゲートウェイＡ７からアクセスサービスネットワークゲートウェイＢ８へは、リロケーションが起こったという情報が通知されないので、アクセスサービスネットワークゲートウェイＢ８は、モバイルステーション３とホームエージェント４との間の接続の制御に関与しない。【００５７】
この状態でＩＰアドレスの更新が必要な場合、まず、アクセスサービスネットワークゲートウェイＢ８のＤＨＣＰプロキシ機能部Ｂ１８は、モバイルステーション３からのＩＰアドレスＸ宛のＤＨＣＰリクエスト（ＤＨＣＰ  Ｒｅｑｕｅｓｔ）メッセージを受信する（図７の矢印３１、矢印３２、矢印３３）。そして、アクセスサービスネットワークゲートウェイＢ８は、ＩＰアドレスの更新処理を自装置のＤＨＣＰプロキシ機能部Ｂ１８で実施する必要がないと判断し、ＤＨＣＰリクエスト（ＤＨＣＰ  Ｒｅｑｕｅｓｔ）メッセージをアクセスサービスネットワークゲートウェイＡ７へ転送する（図７の矢印４１）。【００５８】
アクセスサービスネットワークゲートウェイＡ７のＤＨＣＰプロキシ機能部Ａ１５は、ＤＨＣＰリクエスト（ＤＨＣＰ  Ｒｅｑｕｅｓｔ）メッセージを受信し、モバイルステーション３のＩＰアドレスの更新処理を行い、ＩＰ更新情報をプロキシモバイルＩＰクライアント機能部Ａ１３へ送る（図７の矢印４２）。プロキシモバイルＩＰクライアント機能部Ａ１３は、フォーリンエージェント／アンカーデータパス機能部Ａ１４のフォーリンエージェント機能部を経由してホームエージェント４へＭＩＰレジストレーションリクエスト（ＭＩＰ  ＲＲＱ）メッセージを送る（図７の矢印４３、矢印４４）。そして、ホームエージェント４は、モバイルステーション３の新しいＩＰアドレスを再登録し、逆の経路を辿ってモバイルステーション３にアック（Ａｃｋ）を返し、モバイルステーション３のアドレス更新を終了する。【００５９】
図８は、この発明の実施例２にかかるモバイルＩＰ通信システムにおけるアドレス更新処理の流れを示す図である。図８に示すアドレス更新処理は、移動によってモバイルステーション３の接続先がアクセスサービスネットワークゲートウェイＢ８の配下のベースステーション１１に変わった状態、すなわち図５または図７の状態において、アクセスサービスネットワークゲートウェイＢ８が実施する処理である。【００６０】
図８に示すように、ＩＰアドレス更新処理が開始されると、アクセスサービスネットワークゲートウェイＢ８のＤＨＣＰプロキシ機能部Ｂ１８は、モバイルステーション３からＤＨＣＰリクエスト（ＤＨＣＰ  Ｒｅｑｕｅｓｔ）メッセージを受信する（ステップＳ７１）。そして、アクセスサービスネットワークゲートウェイＢ８は、アクセスサービスネットワークゲートウェイＡ７から自装置へのフォーリンエージェント機能部のリロケーションが起こっているか否かを判断する（ステップＳ７２）。【００６１】
リロケーションが起こっていれば（ステップＳ７２：Ｙｅｓ）、アクセスサービスネットワークゲートウェイＢ８は、アクセスサービスネットワークゲートウェイＡ７のＤＨＣＰプロキシ機能部Ａ１５へＤＨＣＰリクエスト（ＤＨＣＰ  Ｒｅｑｕｅｓｔ）メッセージを転送する（ステップＳ７３）。ＤＨＣＰリクエスト（ＤＨＣＰ  Ｒｅｑｕｅｓｔ）メッセージの転送先であるアクセスサービスネットワークゲートウェイＡ７は、ＩＰアドレス更新処理を実施する。その後、ＤＨＣＰプロキシ機能部Ｂ１８は、アクセスサービスネットワークゲートウェイＡ７からＩＰアドレス更新結果を受信し、それを自装置内のフォーリンエージェント機能部に通知し（ステップＳ７４）、ＩＰアドレス更新処理を終了する。【００６２】
一方、ステップＳ７２でフォーリンエージェント機能部のリロケーションが起こっていない場合（ステップＳ７２：Ｎｏ）には、アクセスサービスネットワークゲートウェイＢ８は、Ｒ４データパスにＤＨＣＰリクエストメッセージを転送し（ステップＳ７５）、アクセスサービスネットワークゲートウェイＢ８におけるＩＰアドレス更新処理を終了する。この場合、ＤＨＣＰリクエスト（ＤＨＣＰ  Ｒｅｑｕｅｓｔ）メッセージの転送先であるアクセスサービスネットワークゲートウェイＡ７がＩＰアドレス更新処理を実施し、その更新結果がアクセスサービスネットワークゲートウェイＡ７内のフォーリンエージェント機能部に通知される。【００６３】
実施例１によれば、ＤＨＣＰプロキシ機能部１５，１８のＩＰアドレスＷが共通であることによって、全てのＤＨＣＰプロキシ機能部１５，１８が、全てのモバイルステーションのＤＨＣＰリクエスト（ＤＨＣＰ  Ｒｅｑｕｅｓｔ）メッセージを受信することができる。従って、モバイルステーション３のＩＰアドレスを更新したアクセスサービスネットワークゲートウェイ７，８において、ＤＨＣＰプロキシ機能部１５，１８は、自装置内のフォーリンエージェント／アンカーデータパス機能部１４，１７にＩＰアドレスの更新状況を伝えることができるので、ＩＰアドレスの更新によるＨｏＡ（Ｈｏｍｅ  Ａｄｄｒｅｓｓ、ホームアドレス）の変化に追随してモバイルＩＰ動作を実現することができる。【００６４】
また、実施例１によれば、リロケーション前のアクセスサービスネットワークゲートウェイＡ７のＤＨＣＰプロキシ機能部Ａ１５からリロケーション先のアクセスサービスネットワークゲートウェイＢ８のＤＨＣＰプロキシ機能部Ｂ１８に、モバイルステーション３のＩＰアドレスのリリース時間等を通知することによって、ＤＨＣＰプロキシ機能部Ｂ１８にＩＰアドレスの更新処理を引き継ぐことができる。従って、同じアクセスサービスネットワークゲートウェイＢ８内のフォーリンエージェント／アンカーデータパス機能部Ｂ１７とＤＨＣＰプロキシ機能部Ｂ１８でもって、特定のモバイルステーション３とホームエージェント４との接続を制御することができる。【００６５】
また、実施例２によれば、リロケーション先のアクセスサービスネットワークゲートウェイＢ８からＩＰアドレスが通知されることによって、リロケーション前のアクセスサービスネットワークゲートウェイＡ７は、ＤＨＣＰプロキシ機能部Ａ１５によるＩＰアドレス更新結果の転送先（アクセスサービスネットワークゲートウェイＢ８）を知ることができる。従って、ＤＨＣＰプロキシ機能部Ａ１５とフォーリンエージェント／アンカーデータパス機能部Ｂ１７が同じアクセスサービスネットワークゲートウェイ内にない場合でも、リロケーション先のフォーリンエージェント／アンカーデータパス機能部Ｂ１７は、ＩＰアドレスの更新状況を知ることができる。【００６６】
従って、実施例１または２によれば、モバイルＩＰクライアント機能のないモバイルステーションが移動しても、ダイナミックＩＰアドレス割り当て機能（ＤＨＣＰ）によって払い出されたＩＰアドレスの更新処理を継続することができるので、ネットワークの接続性を維持することができる。なお、本発明は、ＤＨＣＰを用いたモバイルＩＰに関係する通信方式であれば、ＷｉＭＡＸに限らない。
【産業上の利用可能性】
【００６７】
以上のように、本発明にかかるモバイルＩＰ通信システム、モバイルＩＰ通信装置およびモバイルＩＰ通信方法は、ＤＨＣＰを用いたモバイルＩＰに関係する通信方式に有用であり、特に、ＷｉＭＡＸに適している。
【図１】
2008114384.tif 000003
【図２】
2008114384.tif 000004
【図３】
2008114384.tif 000005
【図４】
2008114384.tif 000006
【図５】
2008114384.tif 000007
【図６】
2008114384.tif 000008
【図７】
2008114384.tif 000009
【図８】
2008114384.tif 000010
【図９】
2008114384.tif 000011
【図１０】
2008114384.tif 000012
【国際調査報告】
2008114384.tif 000013
2008114384.tif 000014
2008114384.tif 000015
2008114384.tif 000016